(57)【要約】      （修正有）【課題】操作時に音がなく静かで、騒々しくない無音巻き上げ機を提供する。【解決手段】本体１１と、巻き軸２１と、取っ手１６とからなる。本体１１は、一端に延伸縁を有する中空筒体をなし、中空筒体の前後両端における端縁に近い位置にそれぞれ段部が設けられるとともに、その内部にベアリングと、ワンウェイベアリングと、摩擦リングが嵌設される。巻き軸２１は、その両端にそれぞれ阻止縁２１２，２１３を有するとともに、その一端における円心の位置に埋め込みボルトが突設される。埋め込みボルトの末端には、嵌孔が設けられる。巻き軸２１は、埋め込みボルトによって本体の中空筒体の中に挿設されると同時に、巻き軸２１の埋め込みボルトが本体１１外部に露出し、ベアリングとワンウェイベアリングと摩擦リングと巻き軸２１を互いに結合する。取っ手１６は、本体１１外部に露出した巻き軸２１の埋め込みボルトが貫設されるとともに、係止軸によって嵌孔に嵌合される。【選択図】図２
0003187022.tif 000002
【実用新案登録請求の範囲】
【請求項１】
本体と、巻き軸と、取っ手とからなる、無音巻き上げ機であって、
前記本体は、一端に延伸縁を有する中空筒体をなし、前記中空筒体の前後両端における端縁に近い位置にそれぞれ段部が設けられるとともに、前記本体内部には、ベアリングと、ワンウェイベアリングと、摩擦リングが嵌設され、
前記巻き軸は、その両端にそれぞれ阻止縁を有するとともに、前記巻き軸の一端における円心の位置に埋め込みボルトが突設され、
前記埋め込みボルトの末端には、嵌孔が設けられ、
更に前記巻き軸は、埋め込みボルトによって本体の中空筒体の中に挿設されると同時に、巻き軸の埋め込みボルトが本体外部に露出することにより、ベアリングとワンウェイベアリングと摩擦リングと巻き軸を互いに結合し、
前記取っ手は、本体外部に露出した巻き軸の埋め込みボルトが貫設されるとともに、係止軸によって嵌孔に嵌合され、
前記取っ手は更に、正回転、或いは逆回転されることにより、摩擦リングとワンウェイベアリングが弛緩、或いは制止の状態を呈するように制御することを特徴とする、無音巻き上げ機。
【請求項２】
前記巻き軸には、吊り索を結合するための結合孔が開設されることを特徴とする、請求項１に記載の無音巻き上げ機。
【請求項３】
前記本体内部におけるワンウェイベアリングの前後端には、それぞれ湿式使用に便利な銅合金片が設けられることを特徴とする、請求項１に記載の無音巻き上げ機。
【請求項４】
前記本体内部におけるワンウェイベアリングの前端には、錆の発生を防止するオイルシールが設けられることを特徴とする、請求項１に記載の無音巻き上げ機。
【請求項５】
前記巻き軸における埋め込みボルトが設けられていない一端には、結合部が設けられることにより、ベアリングが設けられた固定片と結合されることを特徴とする、請求項１に記載の無音巻き上げ機。
【考案の詳細な説明】
【技術分野】
【０００１】
本考案は、巻き上げ機に関し、特にヨット・水上バイク、或いはその他の重量物の昇降・牽引に適した、無音巻き上げ機に関する。
【背景技術】
【０００２】
巻き上げ機機構は、縄体を巻き取るための巻き取り機能を備えているため、テニスネットの取り付け・ヨットや車の牽引装置等によく用いられており、その使用範囲は広範にわたる。例えば、中華民国特許第Ｍ４２３６９１号明細書の「巻き上げ機機構」に開示されている従来の巻き上げ機は、基部と、二つの位置決め孔と、旋転軸と、受動歯車セットと、組み合わせ式誘導歯車セットと、旋動取っ手とからなる。前記基部は、底板と、二つの側板とからなる。前記二つの位置決め孔は、前記基部の二つの側板における所定の位置に設けられる。前記旋転軸は、その両端が二つの位置決め孔に貫設されて転動可能な様態をなすとともに、その軸身が取り付け部を形成する。前記受動歯車セットは、少なくともその一側にディスク型歯車が形成されるとともに、その中央に形成された固定軸が前記基部後側の二つの側板の間に枢設されて旋転可能な様態をなす。また、前記受動歯車セットの二つのディスク型歯車の間には、ロープ巻き付け部が形成される。前記組み合わせ式誘導歯車セットは、前記旋転軸と組み合わされる形態をなし、旋転軸の取り付け部に組み合わされて連動して旋転される。また、前記組み合わせ式誘導歯車セットは、少なくとも一つの歯車と、中央に設けられた間隔保持部品とからなるとともに、歯車と前記受動歯車セットのディスク型歯車が互いに噛合うことにより、前記受動歯車セットを連動させる。前記旋動取っ手は、旋転軸の端部に設けられるとともに、転動することにより旋転軸を旋転させる。
【０００３】
上述の従来の構造は、各部品の間の同心度を向上させることができるものの、爪歯車と逆止片の摩擦が「ダ・ダ…」という弾き音を発して騒々しいため、更なる改善の余地がある。
【先行技術文献】
【特許文献】
【０００４】
【特許文献１】中華民国特許第Ｍ４２３６９１号明細書
【考案の概要】
【考案が解決しようとする課題】
【０００５】
そこで、本考案は、操作時に音がなく静かで、騒々しくない、無音巻き上げ機を提供することを目的とする。
【課題を解決するための手段】
【０００６】
上述の目的を達成するため、本考案の無音巻き上げ機は、本体と、巻き軸と、取っ手とからなる。前記本体は、一端に延伸縁を有する中空筒体をなし、前記中空筒体の前後両端における端縁に近い位置にそれぞれ段部が設けられるとともに、その内部にベアリングと、ワンウェイベアリングと、摩擦リングが嵌設される。前記巻き軸は、その両端にそれぞれ阻止縁を有するとともに、その一端における円心の位置に埋め込みボルトが突設される。前記埋め込みボルトの末端には、嵌孔が設けられる。更に前記巻き軸は、埋め込みボルトによって本体の中空筒体の中に挿設されると同時に、巻き軸の埋め込みボルトが本体外部に露出し、ベアリングとワンウェイベアリングと摩擦リングと巻き軸を互いに結合する。前記取っ手は、本体外部に露出した巻き軸の埋め込みボルトが貫設されるとともに、係止軸によって嵌孔に嵌合される。以上の構造に基づき、取っ手を正回転、或いは逆回転させることにより、摩擦リングとワンウェイベアリングが弛緩、或いは制止の状態を呈するように制御する。
【０００７】
上述の無音巻き上げ機は、更に前記巻き軸に吊り索を結合するための結合孔が開設される。
【０００８】
上述の無音巻き上げ機は、更に前記本体内部におけるワンウェイベアリングの前後端に、それぞれ湿式使用に便利な銅合金片が設けられる。
【０００９】
上述の無音巻き上げ機は、更に前記本体内部におけるワンウェイベアリングの前後端に、それぞれ錆の発生を防止するオイルシールが設けられる。
【００１０】
上述の無音巻き上げ機は、更に前記巻き軸における埋め込みボルトが設けられていない一端に、結合部が設けられることにより、ベアリングが設けられた固定片と結合される。
【図面の簡単な説明】
【００１１】
【図１】本考案の実施例の構成部品を示した分解図である。
【図２】本考案の実施例の斜視外観図である。
【図３】本考案の実施例の組み立て断面図である。
【図４】本考案の実施例の使用状態を示した概略図である。
【考案を実施するための形態】
【００１２】
図１、図２を参照する。本考案の無音巻き上げ機１は、本体１１と、取っ手１６と、巻き軸２１とからなる。本体１１は、一端に延伸縁１１１を有する中空筒体をなし、前記中空筒体の前後両端における端縁に近い位置にそれぞれ段部が設けられるとともに、その内部にベアリング１２と、ワンウェイベアリング１３と、摩擦リング１４が嵌設される。取っ手１６には、ネジ山１６１が設けられる。巻き軸２１は、その両端にそれぞれ阻止縁２１２・２１３を有するとともに、二つの阻止縁２１２・２１３の間に結合孔２１１が開設され、且つその一端における円心の位置に埋め込みボルト２２が突設される。埋め込みボルト２２は、その前端にネジ山２２１が設けられ、末端に嵌孔（リング溝）２２２が設けられる。巻き軸２１は、埋め込みボルト２２によって本体１１の中空筒体の中に挿設されると同時に、巻き軸２１の埋め込みボルト２２末端が本体１１外部に露出し、且つ銅合金片１８が取っ手１６と巻き軸２１の間に敷設されることにより、摩擦リング１４をしっかりと位置決めして、ワンウェイベアリング１３と摩擦リング１４と巻き軸２１を互いに結合する。取っ手１６は、本体１１外部に露出した巻き軸２１の埋め込みボルト２２が貫設されるとともに、ガスケット１９及び係止軸（リング）１７によって埋め込みボルト２２の嵌孔（リング溝）２２２に嵌合される。
【００１３】
図３を参照する。本考案のワンウェイベアリング１３の前後両端には、更にそれぞれ銅合金片１８が設けられることにより、無音巻き上げ機１が湿式使用に適するようになる。或いは、ワンウェイベアリング１３前後端にそれぞれ錆の発生を防止するオイルシール１５が設けられる。同時に、巻き軸２１における埋め込みボルト２２が設けられていない一端には、段状を呈する結合部２１４が設けられることにより、ベアリング２４が設けられた固定片２３と結合される。以上の構造に基づき、取っ手１６を正回転した時、埋め込みボルト２２に被せられた摩擦リング１４がワンウェイベアリング１３に沿って旋転し、これにより埋め込みボルト２２と一体を呈する巻き軸２１が連動して転動するため（図４を参照）、巻き軸２１の結合孔２１１と結合したロープ２５がスムーズに巻き軸２１に巻き付く。取っ手１６の転動を停止した時、埋め込みボルト２２に結合した摩擦リング１４がワンウェイベアリング１３に咬合して動きを停止させ、更にロープ２５を制限する。ロープ２５を緩めようとする時は、取っ手１６を逆回転して摩擦リング１４と銅合金片１８の間に隙間を生じさせ、咬合状態を解除することにより、埋め込みボルト２２を逆回転させる。これにより、巻き軸２１に巻き付いたロープ２５を緩めることができる。以上のようにして、無音巻き上げ機１が作業時に騒々しい音を発生しないようにする。
【符号の説明】
【００１４】
１            無音巻き上げ機
１１   本体
１１１ 延伸縁
１２   ベアリング
１３   ワンウェイベアリング
１４   摩擦リング
１５   オイルシール
１６   取っ手
１６１ ネジ山
１７   係止軸（リング）
１８   銅合金片
１９   ガスケット
２１   巻き軸
２１１ 結合孔
２１２ 阻止縁
２１３ 阻止縁
２１４ 結合部
２２   埋め込みボルト
２２１ ネジ山
２２２ 嵌孔（リング溝）
２３   固定片
２４   ベアリング
２５   ロープ
【図１】
0003187022.tif 000003
【図２】
0003187022.tif 000004
【図３】
0003187022.tif 000005
【図４】
0003187022.tif 000006